(57)【要約】      （修正有）【課題】取扱いが容易でありながら、口径の異なる複数の管種の管に装着することができ、且つ剛性の高い鋳鉄管用分岐継手を提供する。【解決手段】分岐スリーブ部材と、押しスリーブ部材と、シール部材と、締結部材を備える分岐継手であって、分岐スリーブ部材は、押しスリーブ部材との締結方向に向かって先細りとなるように形成された楔状凸部２０７が円周方向の両端部に形成され、押しスリーブ部材は、楔状凸部２０７を受け取る凹部が形成されている。【選択図】図３
2014119007.tif 000002
【特許請求の範囲】
【請求項１】
流体が流動する本管に装着される鞍形状のスリーブ本体部と、前記スリーブ本体部から外方に向かって突出するように設けられた中空の分岐部とを有し、前記スリーブ本体部の内面には環状溝が形成された分岐スリーブ部材と、
前記分岐スリーブ部材と共に前記本管を挟みこんで前記本管の外面に装着される、前記分岐スリーブ部材と対をなす鞍形状の押しスリーブ部材と、
前記スリーブ本体部の前記環状溝に装着され、前記本管の外面と前記スリーブ本体部の内面をシールするシール部材と、
前記分岐スリーブ部材と前記押しスリーブ部材を締結する締結部材と、を備える分岐継手であって、
前記分岐スリーブ部材は、前記押しスリーブ部材との締結方向に向かって先細りとなるように縮径テーパ部が形成された楔状凸部が円周方向の両端部に形成され、
前記押しスリーブ部材は、前記楔状凸部を受け取る凹部が形成され、
前記分岐スリーブ部材は、前記分岐スリーブ部材と前記押しスリーブ部材との締め付けによって前記楔状凸部同士が近づくことで、前記スリーブ本体部が縮径されることを特徴とする分岐継手。
【請求項２】
前記環状溝は、前記分岐部の前記スリーブ本体部へのつなぎ部に対して、前記シール部材が前記本管の軸方向外側に配置されるように設けられることを特徴とする請求項１に記載の分岐継手。
【請求項３】
前記分岐部の前記スリーブ本体部とのつなぎ部の形状は、前記スリーブ本体部の縮径に伴う応力を分散する形状に設けられていることを特徴とする請求項１または請求項２に記載の分岐継手。
【請求項４】
前記つなぎ部の形状は、前記スリーブ本体部に向かって拡径するテーパ状に設けられていることを特徴とする請求項３に記載の分岐継手。
【請求項５】
前記分岐スリーブ部材は、前記分岐スリーブ部材と前記押しスリーブ部材とを本管へ装着したときに、装着方向と同一の方向に本管表面の一部（穿孔穴近傍の２箇所）を押圧する支柱が設けられていることを特徴とする請求項１〜請求項４のいずれかに記載の分岐継手。
【請求項６】
前記分岐スリーブ部材と前記押しスリーブ部材とを前記本管に装着したとき、前記本管の外周部を押圧する複数の押圧凸部が前記押しスリーブの両端部の内面に設けられていることを特徴とする請求項１〜請求項５のいずれかに記載の分岐継手。
【発明の詳細な説明】
【技術分野】
【０００１】
本発明は、都市ガスなどの流体を流動させる鋳鉄製の管を分岐する分岐継手に関する。
【背景技術】
【０００２】
都市ガスなどの埋設配管には、ねずみ鋳鉄またはダクタイル鋳鉄（球状黒鉛鋳鉄）からなる鋳鉄製の管が広く使用されている。これらの鋳鉄製の管は、管の材質や接続口形状の違いによって、複数の異なる規格で製造されており、同一の呼び口径（例えば呼び口径１００A）であっても管種によって異なる外径を有している。例えば、同じダクタイル鋳鉄製で同一の呼び口径を有する鋳鉄管であっても管外径が若干異なる複数の規格がある。そのために、各管を分岐する場合には管種に応じて対応する分岐継手を使用する必要があった。
鋳鉄管などの埋設ガス管を分岐する継手として、例えば特許文献１に記載されているものがある。特許文献１に記載されている分岐用継手によれば、元管１に第１、第２分割継手４、５を抱合して、ホールソーにより穿孔を行うことで第２分割継手５から分岐をとることができるが、元管の外径に対する許容代はなく管外径の異なる管種毎に対応するためには、各管外径に応じた分岐継手を準備しなければならない。
【０００３】
また、分岐しようとする地中に埋設された管がいずれの種類の管であるかは、地面を掘り起こしたときに、はじめてわかるケースも多く、施工者は、どの管種の埋設管にも対応するために、管種ごとに対応する分岐継手をすべて準備しなければならず準備が煩雑であった。そこで、ある程度の外径寸法の違いを許容し、かつ管材質の違い（ねずみ鋳鉄管とダクタイル鋳鉄管）にも対応していずれの管からも分岐することができる分岐継手として、二液性のシール剤とゴム製のシール部材を併用することで管種の違いによる管外径の差を許容する分岐継手があり実用に供されている。
【先行技術文献】
【特許文献】
【０００４】
【特許文献１】特開２００３−３３６７８３号公報
【発明の概要】
【発明が解決しようとする課題】
【０００５】
しかしながら、このような汎用型の分岐継手では、ダクタイル鋳鉄管に比して曲げ荷重に対する耐荷重の小さいねずみ鋳鉄管からの分岐をも可能にするために分岐継手自体の剛性を十分確保しなければならず、分岐継手が非常に大きくかつ重いものになり、分岐配管の施工が困難となっている。また、近年においては、曲げ荷重に対する耐荷重の小さなねずみ鋳鉄管からの分岐配管を行わないガス事業者も多く、これらの事業者にとっては前述した分岐継手は過剰に剛性を有するオーバースペックなものとなっている。そのため、分岐作業の施工性が優れた軽量な分岐継手が望まれている。ただし、これら事業者においても若干の管外径の違いに対応可能な許容代は分岐継手に対して要求されている。
【０００６】
したがって、本発明は以上の従来技術の問題に鑑みてなされたものであり、取扱いが容易でありながら、外径の異なる複数の管種の管に装着して分岐を取り出すことができ、且つ剛性の高い鋳鉄管用分岐継手を提供することを目的とする。
【課題を解決するための手段】
【０００７】
上記の問題を解決するために、本発明の分岐継手は、
流体が流動する本管に装着される鞍形状のスリーブ本体部と、前記スリーブ本体部から外方に向かって突出するように設けられた中空の分岐部とを有し、前記スリーブ本体部の内面には環状溝が形成された分岐スリーブ部材と、
前記分岐スリーブ部材と共に前記本管を挟みこんで前記本管の外面に装着される、前記分岐スリーブ部材と対をなす鞍形状の押しスリーブ部材と、
前記スリーブ本体部の前記環状溝に装着され、前記本管の外面と前記スリーブ本体部の内面をシールするシール部材と、
前記分岐スリーブ部材と前記押しスリーブ部材を締結する締結部材と、を備える分岐継手であって、
前記分岐スリーブ部材は、前記押しスリーブ部材との締結方向に向かって先細りとなるように縮径テーパ部が形成された楔状凸部が円周方向の両端部に形成され、
前記押しスリーブ部材は、前記楔状凸部を受け取る凹部が形成され、
前記分岐スリーブ部材は、前記分岐スリーブ部材と前記押しスリーブ部材との締め付けによって前記楔状凸部同士が近づくことで、前記スリーブ本体部が縮径されることを特徴とするものである。
分岐スリーブ部材は、そのスリーブ本体部の周方向両端部に形成された楔状凸部を、押しスリーブに形成された凹部によって縮径する方向に荷重を受けて縮径する方向に変形する。
【０００８】
また、本発明の分岐継手において、
前記環状溝は、前記分岐部の前記スリーブ本体部へのつなぎ部に対して、前記シール部材が前記本管の軸方向外側に配置されるように設けられることが望ましい。
このように、シール部材が本管の軸方向外側に配置されることで、スリーブ本体の肉厚をほぼ均一にすることができる。それにより、前記スリーブ本体部の縮径に伴う応力が分散されるので、スリーブ本体部の縮径の際にスリーブ本体部の一箇所に集中して応力が発生することが防止され、スリーブ本体部は管外面に沿って全体的に万遍なく変形することにより、管外径が異なる鋳鉄管でもシール性を有することができる。
【０００９】
また、本発明の分岐継手において、
前記分岐部の前記スリーブ本体部とのつなぎ部の形状は、前記スリーブ本体部の縮径に伴う応力を分散する形状に設けられていることが望ましい。
このように、分岐部とスリーブ本体部のつなぎ部の形状が、スリーブ本体部の縮径に伴う応力を分散する形状に設けられるので、スリーブ本体部の縮径の際にスリーブ本体部の一箇所に集中して応力が発生することが防止され、スリーブ本体部は管外面に沿って全体的に万遍なく変形することにより、管外径が異なる鋳鉄管でもシール性を有することができる。
【００１０】
また、本発明の分岐継手において、
前記つなぎ部の形状は、外側から前記スリーブ本体部に向かって拡径するテーパ状に設けられていることが望ましい。
このように、つなぎ部の形状を外側からスリーブ本体部に向かって拡径するテーパ状に設けられるので、テーパ状の部分全体が変形しながら分岐スリーブ部材を変形させ一箇所に集中して応力が生じない。
【００１１】
また、本発明の分岐継手において、
前記分岐スリーブ部材は、前記分岐スリーブ部材と前記押しスリーブ部材とを本管へ装着したときに、装着方向と同一の方向に本管表面の一部（穿孔穴近傍の２箇所）を押圧する支柱が設けられていることが望ましい。
このように、分岐スリーブ部材に本管表面の一部（穿孔穴近傍の２箇所）を押圧する支柱が設けられるので、本管に曲げ荷重が加わり本管の穿孔穴側に引っ張り応力が生じたときにも支柱の押圧よって本管の曲げ力に抗する方向の応力が作用する。
【００１２】
また、本発明の分岐継手において、前記分岐スリーブ部材と前記押しスリーブ部材とを前記本管に装着したとき、前記本管の外周部を押圧する複数の押圧凸部が前記押しスリーブ部材の両端部の内面に設けられていることが望ましい。
このように、押しスリーブ部材の両端部の内面に複数の押圧凸部が設けられるので、本管に対する押しスリーブ部材の接触圧力が増す。これにより、本管に曲げ荷重が加わった時の耐曲げ荷重性能の向上に寄与する。
【発明の効果】
【００１３】
本発明によれば、分岐スリーブ部材は、押しスリーブ部材との締結方向に向かって先細りとなるようにテーパ部が形成された楔状凸部が円周方向の両端部に形成され、押しスリーブ部材は、楔状凸部を受け取る凹部が形成されており、分岐スリーブと押しスリーブとの締め付けにより楔状凸部同士が近づくことでスリーブ本体が縮径されて、分岐スリーブ部材が装着される管の外周に沿って変形されるので、若干外径が異なる管に対しても同一の分岐継手を本管に装着して分岐を取り出すことができる。
【図面の簡単な説明】
【００１４】
【図１】本発明に係る分岐継手を本管に装着した状態を示す正面図（半断面図）である。
【図２】本発明に係る分岐継手の分岐スリーブ部材の正面図（部分断面図）である。
【図３】本発明に係る分岐継手の分岐スリーブ部材の右側面図である。
【図４】本発明に係る分岐継手の分岐スリーブ部材の底面図である。
【図５】本発明に係る分岐継手の押しスリーブ部材の側面図である。
【図６】本発明に係る分岐継手の押しスリーブ部材の平面図である。
【図７】本発明に係る分岐継手の部品展開図である。
【図８】本発明に係る分岐継手の施工状態を示す横断面図である。
【発明を実施するための形態】
【００１５】
以下、図面を参照して本発明の実施の形態に係る分岐継手について説明する。
本発明の一実施の形態に係る分岐継手１は、図１に示されるように、分岐される管Ｐに装着される分岐スリーブ部材２と、分岐スリーブ部材２と対をなし本管Ｐに装着される押しスリーブ部材３と、これらの対をなすスリーブ部材同士を締結するボルト４、ナット５からなる締結部材と、本管Ｐと分岐スリーブ部材２を密封シールするシール部材６とより構成されている。以下、各部材の詳細についてそれぞれ説明する。
【００１６】
図２、図３に示されるように、分岐スリーブ部材２は、本管Ｐの外周部の半径と同等もしくは若干大きな曲率半径の円弧状の内面を有する鞍形状のスリーブ本体部２０１と、スリーブ本体部２０１の中央部から外側に向かって突出する分岐部２０２とを有する。分岐継手１は外径寸法の仕様の異なる複数種類の本管Ｐに装着されるので、分岐スリーブ部材２の内面の曲率半径は、大きい側の寸法の本管Ｐの半径寸法と同等もしくは若干大きく設けられている。スリーブ本体部２０１と本管Ｐの寸法関係をこのように設けることで、本管Ｐの外周部に分岐スリーブ部材２を容易に装着することができる。スリーブ本体部２０１と分岐部２０２とは一体に鋳造により成型された鋳物である。材質は球状黒鉛鋳鉄（ダクタイル鋳鉄）である。
【００１７】
分岐部２０２には、図示しない分岐管を接続するための樹脂製の短管２０３が挿入されて密封接続されている。分岐部２０２のスリーブ本体部２０１へのつなぎ部２０４（付け根部）は、スリーブ本体部２０１に向かって拡径する略三角錐形状に形成されている。また図２、図４に示されるように、分岐部２０２の付け根部の内径側には端面がスリーブ本体部２０１の内周面と同一面となるように２本の支柱２０５が形成されている。また、スリーブ本体部２０１の内面にはシール部材６が装着されるシール部材収容溝２０６が形成されている。シール部材収容溝２０６は、シール部材６が分岐部２０２の外径よりも外側の位置に配置されるように、略三角錐形状のつなぎ部２０４よりも外側に設けられている。また、分岐スリーブ部材２には、後述する押しスリーブ部材３と締結するためのフランジ部２０９が設けられている。フランジ部２０９の形状は、内側が幅広で端部に行くにつれて幅が狭まるように設けられ、ボルト穴２１２も同様に内側が幅広で端部が幅狭となるように設けられている。このように、本管の軸方向内側のボルト穴２１２を管軸に対して外側に設けられ、支点に対する力点（ボルト穴の位置）が遠ざかるので、締結時により大きな曲げモーメントを生じさせることができる。これにより、分岐スリーブ部材２において最も剛性の高い分岐スリーブ本体部２０１の分岐部付近をより確実に変形させて、スリーブ本体部２０１の内面を本管Ｐの外面により確実に密着させることが可能である。スリーブ本体部２０１の周方向の両端には、フランジ部２０９から突出するように楔状凸部２０７が形成されている。楔状凸部２０７はスリーブ本体部２０１の周方向の延長線上に、外側に縮径テーパ面２０８を有する先細り状に設けられている。また、スリーブ本体部２０１には図１、図２の紙面に対して垂直、かつ分岐部２０２の軸方向と直交する方向に、一方の端部内径にネジ部２１０を有する有底円筒状の穿孔用の穿孔円筒部２１１が形成されている。
【００１８】
図５、図６に示されるように、押しスリーブ部材３は、前述した分岐スリーブ部材２と同様に本管Ｐの外周部の半径寸法と同等もしくは若干大きな曲率半径の円弧状の内面を有する鞍形状の押しスリーブ本体部３０１と、分岐スリーブ部材２と締結するためのフランジ部３０４とからなる。また、装着可能な複数の本管Ｐの内、外径が大きい側の本管Ｐの外周部の半径寸法と同等もしくは若干大きな曲率半径の円弧状内面のスリーブ本体部に設けられる点も、前述した分岐スリーブ部材と同様である。押しスリーブ部材３も分岐スリーブ部材２と同様に材質は球状黒鉛鋳鉄（ダクタイル鋳鉄）である。
【００１９】
押しスリーブ部材３には、分岐スリーブ部材２の楔状凸部２０７を受け取る凹部３０２が設けられている。凹部３０２の外側には分岐スリーブ部材２の縮径テーパ面２０８に対応するテーパ面３０３が形成されている。フランジ部３０４には、分岐スリーブ部材２のフランジ部２０９と同一の投影形状であり、フランジ部２０９に設けられたボルト穴２１２に対応するようにボルト穴３０５が形成されている。また、押しスリーブ本体部３０１の両端部内径側にはそれぞれ３箇所の押圧凸部３０６が形成されている。このように押しスリーブ本体部３０１の両端部内径側に、装着時に本管Ｐの外周面に接触する箇所（押圧凸部３０６）と接触しない箇所を設けることで、接触箇所における接触圧力が増大する。また、押圧凸部３０６の本管Ｐとの接触面は細かな凹凸が形成されており、分岐スリーブ部材２と押圧スリーブ部材３とを締め付けて本管Ｐに装着したときに、本管Ｐの外周面にしっかりと食らいつく。これにより、本管Ｐに曲げ荷重が加わった時に分岐継手１に対して本管Ｐが滑ることが防止される。また、押しスリーブ本体部３０１の外径側には、軸方向に伸びる複数の補強リブ３０７が形成されている。この補強リブ３０７によって、分岐継手１は本管Ｐ曲げ荷重に対して優れた耐曲げ性能を備える。
【００２０】
また、分岐スリーブ部材２と押しスリーブ３を締結するための締結部材であるボルト４、ナット５は十分な強度と耐食性を備えるダクタイル鋳鉄製である。具体的には、ＪＩＳ規格（ＪＩＳ  Ｇ  ５５０２）に規定されたダクタイル鋳鉄品で、ＦＣＤ４００‐１５  に耐食性を持たせるためにＮｉが２％添加された材料が使用されている。本実施の形態では、この材料を使用しているが、強度及び耐食性をあわせ持つ材料であればよく、例えばＳＵＳ３０４などのステンレス製であってもよい。
【００２１】
また、本管Ｐと分岐スリーブ部材２の内面をシールするシール部材６は長期間にわたって良好なシール性能を有するニトリルブタジエンゴム（ＮＢＲ）が好適である。  
【００２２】
ついで、本発明の一実施の形態に係る分岐継手の施工手順を説明する。
１．まず、分岐スリーブ部材２と押しスリーブ部材３とを準備し、スリーブ本体部２０１にシール部材６装着する。そして、分岐スリーブ部材２と押しスリーブ部材３を、各本体部で本管Ｐを挟むようにして装着する。そして、ボルト４、ナット５によって両スリーブ部材２，３を締結して固定する。このとき、分岐スリーブ部材２の楔状凸部２０７は、押しスリーブ部材３の凹部３０２にはまり込み、縮径テーパ面２０８がテーパ面３０３に押される。それに伴って、楔状凸部２０７同士が近づくことで、スリーブ本体部２０１は縮径され、スリーブ本体部２０１は、本管Ｐの外周面に沿うように変形することによりシール性を満足する。この時の分岐スリーブ部材２と押しスリーブ部材３の変形を、より具体的に図８を使って説明する。図８（ａ）は締結部材の締め付け前、（ｂ）は締め付け後の状態を示す横断面図である。図８（ａ）に示されるように、締結部材の締め付け前の状態では分岐スリーブ部材２は、楔状凸部２０７が押しスリーブ部材３の凹部３０２に形成された縮径テーパ面２０８に嵌合されて、縮径テーパ面２０８とテーパ面３０３とが接触しておりパッキン６を十分に圧縮するに至っていない。図８（ｂ）に示されるように、締結部材の締め付け後は、締結部材の締め付けることによって楔状凸部２０７は縮径テーパ面２０８がテーパ面３０３に沿って移動することによって矢印Ａの方向に向かって移動する。これに伴ってスリーブ本体部２０１も同様に変形（縮径）され、本管Ｐの外周面に対してパッキン６を十分に圧縮して、本管Ｐとスリーブ本体部２０１の内面がシールされる。例えば、呼び口径１００Aのダクタイル鋳鉄管用の本発明に係る分岐継手の場合、最大外径１２３．４ｍｍ〜最少外径１１６．５ｍｍの管に対して、上述のようにしてスリーブ本体部を変形させることによって、一種類の分岐継手で対応することができる。
【００２３】
また、本実施の形態に係る分岐継手は、分岐部２０２のつなぎ部２０４が、スリーブ本体部２０１に向かって拡径する中空略三角錐形状を有するので、分岐スリーブ部材が管からの反力を受けず、管からの反力を受ける部位はほぼ均一な肉厚となっているため、本管Ｐに沿って変形するときに、スリーブ本体部２０１の一箇所に部分的に応力が集中することが防止され、継手の破壊に対する安全性が向上する。
【００２４】
２．次いで、穿孔円筒部２１１に図示しない穿孔機（ホルソーなど）を装着し、本管Ｐに穿孔する。
【００２５】
３．穿孔後は、穿孔円筒部２１１から穿孔機を取り外し、ネジ部２１０にプラグ７を装着して密閉して施工が完了する。
【００２６】
ここで、分岐スリーブ部材２のつなぎ部２０４の内径側には２箇所の支柱２０５が設けられており、施工完了時には図１の断面に示されるように支柱２０５の端面で穿孔穴の近傍が押圧されている。これによって、図１の状態で本管Ｐに曲げが加わり本管Ｐが上に凸となるような応力が作用したしたときにも、支柱２０５によって穿孔穴の近傍が押圧されるので曲げ荷重に十分な強度を有する。
【符号の説明】
【００２７】
Ｐ：本管
１：分岐継手
２：分岐スリーブ部材
２０１：スリーブ本体部、２０２：分岐部、２０３：樹脂製の短管
２０４：つなぎ部（付け根部）、２０５：支柱
２０６：シール部材収容溝、２０７：楔状凸部、２０８：縮径テーパ面
２０９：フランジ部、２１０：ネジ部、２１１：穿孔用筒部
２１２：ボルト穴
３：押しスリーブ部材
３０１：押しスリーブ本体部、３０２：凹部
３０３：テーパ面、３０４：フランジ部、３０５：ボルト穴
３０６：押圧凸部、３０７：補強用リブ
４：ボルト
５：ナット
６：シール部材
７：プラグ
【図１】
2014119007.tif 000003
【図２】
2014119007.tif 000004
【図３】
2014119007.tif 000005
【図４】
2014119007.tif 000006
【図５】
2014119007.tif 000007
【図６】
2014119007.tif 000008
【図７】
2014119007.tif 000009
【図８】
2014119007.tif 000010